Podtech/llm-jp-corpus-v4-ja_patent huggingface dataset:
(57)【要約】      （修正有）【課題】携帯に便利で、洗浄力が良く、抵抗感なく使え、経済的である。【解決手段】適宜な間隔に洗浄液噴出孔４，４が設けられた洗浄ノズル２と、洗浄液を貯留するボトル５を螺合させ、その中に洗浄液吸上管６を収納させる。ボトル５を押したり緩めたりすると洗浄液吸上管６の逆止弁７が開閉し一方空気吸入弁８が閉開し、間欠的に洗浄液が噴出されて、局部を洗浄する。【選択図】図１
0003109935.tif 000002
【実用新案登録請求の範囲】
【請求項１】
先端部が閉じ他端が開口されかつ適宜な間隔に洗浄液噴出孔が設けられた洗浄ノズルに洗浄液を貯留するボトルを螺合させ、上端が上記洗浄ノズル内に開口しかつ下端が上記ボトル内に開口する洗浄液吸上管を設け、上記洗浄液吸上管に側部の空気吸入弁の閉開によって開閉する逆止弁を上部に設けたことを特徴とする携帯用洗浄器。
【考案の詳細な説明】
【技術分野】
【０００１】  本考案は、携帯用の女性用局部洗浄器（ビデ）に関するものである。以下、携帯用洗浄器と記す。
【背景技術】
【０００２】  この種の携帯用洗浄器は、外出先でも手軽に携帯し、局部を洗浄出来るので、女性にとって待ち望んでいたものである。
【考案の開示】
【考案が解決しようとする課題】
【０００３】  しかし、今までの携帯用洗浄器では、次の欠点があった。
１）洗浄液が内部に入っているので重く、洗浄液がこぼれてしまうこともある。また、携帯時、バックの中で洗浄液が漏れてしまうことがある。
２）抵抗感があるデザインであり、したがってうまく使用することが出来ない。初めて人の場合は、特にそうである。
３）安定性がなく、また使い捨てであり不経済である。
【課題を解決するための手段】
【０００４】  本考案は、上記従来のものの欠点を解消するものである。【０００５】  すなわち、本考案は、先端部が閉じ他端が開口されかつ適宜な間隔に洗浄液噴出孔が設けられた洗浄ノズルに洗浄液を貯留するボトルを螺合させ、上端が上記洗浄ノズル内に開口しかつ下端が上記ボトル内に開口する洗浄液吸上を設け、上記洗浄液吸上管に側部の空気吸入弁の閉開によって開閉する逆止弁を上部に設けた携帯用洗浄器である。
【考案を実施するための最良の形態】
【実施例１】
【０００６】  本考案の携帯用洗浄器の実施例を、図１乃至図６で説明する。
図１は、実施例の側面図である。
図１において、１は携帯用洗浄器である。２は洗浄ノズルで一端は閉じられ、他端は開口している筒状のものでありキャップ３に接合されている。４、４、・・・は適宜な間隔をもって開けられた洗浄液噴出孔、５は洗浄液を貯留するボトルである。なお、ボトル５はＥＶＡ樹脂等で作られている。洗浄ノズル２内には、図２に示すように洗浄液吸上管６が挿入されている。洗浄液吸上管６は、図３に示すように上部に逆止弁７が設けられており、また側部に空気吸入弁８が設けられており同空気吸入弁８は空気孔９に連通している。
なお、図４及び図５は、逆止弁７及び空気吸入弁８の開閉状況を示すものであり、図４中の矢印Ａは逆止弁７の開閉方向、図５中の矢印Ｂは空気吸入弁８の開閉方向を示すものである。【０００７】  図１において、使用時に洗浄液例えば水を、近くの水道管からボトル５に貯留する。ついで、図２に示すように洗浄液吸上管６を内蔵した洗浄ノズル２のキャップ３を図６に示すようにボトル５と螺合させる。そこで、ボトル５を指等で加圧すると、ボトル５内の洗浄液は図４内矢印に示すように洗浄液吸上管６内を通り、加圧された洗浄液の圧力で開状態の逆止弁７を通り洗浄ノズル２の洗浄液噴出孔４、４、・・・から噴出し洗浄する。
ついで、ボトル５への加圧を緩めると、ボトル５内は負圧になっているので、図５に示すように逆止弁７は閉じ同時に空気吸入弁８が開状態になり連通する空気孔９から空気が矢印に示すようにボトル５内に流入してボトル５内を通常の圧力に戻す。
この動作を間欠的に繰り返して、局部を洗浄する。
【考案の効果】
【０００８】  本考案の携帯用洗浄器は、次の効果を有する。
１）使用時に洗浄液を注入し携帯時には洗浄液が入ってないので、重くなく、洗浄液漏れがなく、携帯に便利である。
２）空気吸入弁によりボトルの復元力が早い為、洗浄液が少なくなっても噴出力が変わらないので、洗浄力が良い。
３）噴出孔の工夫により、少ない水量でもきれいに洗浄出来る。
４）女性の局部にやさしくデザインされているので、初めての人でも抵抗感なく使用出来る。
５）ボトルがＥＶＡ樹脂等で作られるので、動物、植物、果物、人物、キャラクター等いろいろな形を形成出来るので、暗いイメージが払拭される。
６）何度でも洗って使用出来るので、経済的である。
７）ボトルの復元力が早く、洗浄液を勢いよく噴出することが出来る。
【図面の簡単な説明】
【０００９】
【図１】本考案の実施例の側面図である。
【図２】本考案の実施例の部分側面図である。
【図３】本考案の実施例の部分側面図である。
【図４】本考案の実施例の部分断面側面図である。
【図５】本考案の実施例の部分断面側面図である。
【図３】本考案の実施例の組立説明図である。
【符号の説明】
【００１０】１・・・携帯用洗浄器
２・・・洗浄ノズル
３・・・キャップ
４・・・洗浄液噴出孔
５・・・ボトル
６・・・洗浄液吸上管
７・・・逆止弁
８・・・空気吸入弁
９・・・空気孔
【図１】
0003109935.tif 000003
【図２】
0003109935.tif 000004
【図３】
0003109935.tif 000005
【図４】
0003109935.tif 000006
【図５】
0003109935.tif 000007
【図６】
0003109935.tif 000008
【手続補正書】
【提出日】平成17年1月27日(2005.1.27)
【手続補正１】
【補正対象書類名】明細書
【補正対象項目名】０００９
【補正方法】変更
【補正の内容】
【０００９】
【図１】    本考案の実施例の側面図である。
【図２】    本考案の実施例の部分側面図である。
【図３】    本考案の実施例の部分側面図である。
【図４】    本考案の実施例の部分断面側面図である。
【図５】    本考案の実施例の部分断面側面図である。
【図６】    本考案の実施例の組立説明図である。
(57)【要約】      （修正有）【課題】本考案はパソコンのディスプレイの上の端に取りつけることにより、原稿が見やすく楽にキーを打つことができ、なおかつ、携帯に便利な簡易紙ばさみを提供するものである。【解決手段】支柱（１）上部に滑り止めの接着剤をつけ、二股に分かれた足をパソコンの壁面につけて安定させ、支柱の中ほどに原稿を挟むための取り外し可能な原稿クリップ（４）を設ける。【選択図】図１
0003109931.tif 000002
【実用新案登録請求の範囲】
【請求項１】
二股に分かれて湾曲した支柱（１）の上部に滑り止めの接着剤等（付けはずし自由のもの）（２）をつけて固定し、下部の二本の足（３）のバランスをとっていろいろな場所への取り付けを可能にし、支柱（１）の中ほどに取り外し可能な原稿等を挟むクリップ（４）をつけたディスクトップおよびノートパソコン用簡易原稿はさみ器。
【考案の詳細な説明】
【考案の詳細な説明】
【産業上の利用分野】
【０００１】本考案は、ディスクトップ型パソコン及びノートブック型パソコン等に利用できる簡易紙ばさみ器である。
【背景技術】
【０００２】従来、デスクトップのパソコン用の机上据え置き型原稿ばさみ器、貼り付け式の原稿ばさみ器、ノートパソコン用のクリップで挟む形式の原稿ばさみ器があった。
【考案が解決しようとする課題】
【０００３】これは、次のような欠点があった。
（イ）机上用据え置き型は机の上に置く場所がない場合は、使用できなかった。
（ロ）又、貼り付け式は取り外しが不便だし、かさばるのでノートパソコンには不向きだった。
（ハ）クリップ式は持ち運びには便利だがディスクトップ型には使用できなかった。
本考案は、これらの欠点を除くためになされたものである。
【課題を解決するための手段】
【０００４】上記の課題を解決するために、本考案は図２のように滑り止めの接着剤（付けはずし自由のもの）の付いた支柱をディスプレイの上部の端に簡単にとりつけられすようにすることで問題点を解決している。
【０００５】また、本考案器は、収納しておく場合や携帯用として持ち運びに便利なようにするため、原稿バサミのクリップ部分を取り外すことができる。
【作用】
【０００６】原稿を見ながら、パソコンのキーを打つ場合、図１のように本考案器の湾曲した支柱の上部をディスプレ−等の上部の端におしつけ、二股の足をディスプレー等の側面にあてて安定させる。ノートパソコンの場合は二股の足の部分でディスプレーを挟むようにする。次に、原稿用クリップ（４）に原稿用紙を挟むと、液晶画面の横で原稿を見ながらキーを打つことができる。なお、パソコン等への本体の取り付け場所については、ディスプレーの左側面はもとより右側面にも挟むことができる。また、パソコンラックや棚などにも取り付けることができる。その際、クリップの角度を紙が見やすいように変えることができるし、クリップを取り外して図４のように２本の足を挟むようにして取り付けて使うこともできる。更に、本考案器は、収納しておく場合や携帯用として持ち運びに便利なようにクリップをはずしてコンパクトにすることができる。
【実施例】
【０００７】実施例について図面を参照して説明すると図１に示される実施例では、湾曲した支柱（１）の上端に、滑り止めの接着剤（付けはずし自由のもの）（２）をつけて、パソコンのディスプレー等の上端に貼り付け、二股に分かれたあし（３）をディスプレー等の側面につけて安定させる。支柱の中ほどに紙を挟むためのクリップ（４）を取り付ける。なお、バランスをよくし安定させるためにクリップは紙を挟む部分（５）はできるだけ軽くし、指でつまんでクリップを開く部分（６）をできるだけ重い素材で作っておく。【０００８】なお、本考案器の材質は、強度のあるプラスチックでもよいし、ステンレス等の針金でもよい。また、クリップ（４）も、プラスチックでもよいしステンレス等のはりがねでもよい。すべりどめの接着剤は各種の付けはずし可能な接着剤や接着シールでも良い。
【考案の効果】
【０００９】本考案は、以上説明したように構成されているので、以下に記載されるような効果を奏する。
【００１０】本考案器をパソコンのディスプレーの上の端に簡単にとりつけることにより、目の移動が楽になって原稿を打つ際に疲れにくくなるし、また、簡単に分解して持ち運ぶこともできる。
【図面の簡単な説明】
【図１】本考案の使用中の斜視図−１である。
【図２】本考案の斜視図である。
【図３】本考案の側面図である。
【図４】本考案の使用中の斜視図−２である。
【符号の説明】
１  支柱
２  滑り止めのついた上部
３  二本の足
４  原稿用クリップ
５  クリップの紙を挟む部分
６  クリップの指でつかむ部分
【図１】
0003109931.tif 000003
【図２】
0003109931.tif 000004
【図３】
0003109931.tif 000005
【図４】
0003109931.tif 000006
【手続補正書】
【提出日】平成16年10月13日(2004.10.13)
【手続補正１】
【補正対象書類名】実用新案登録請求の範囲
【補正対象項目名】全文
【補正方法】変更
【補正の内容】
【実用新案登録請求の範囲】
【請求項１】
二股に分かれて湾曲した支柱（１）の上部に着けはずし可能な接着剤（２）をつけて固定し、下部の二本の足（３）でバランスをとることによっていろいろな場所への取り付けを可能にし、支柱（１）の中ほどに取り外し可能な原稿等を挟むクリップ（４）をつけたディスクトップおよびノートパソコン用簡易原稿はさみ器。
(57)【要約】      （修正有）【課題】交通反則金を滞納することを防止する交通反則告知書を提供する。【解決手段】交通反則告知書に透明紙の部分を作り車検證の上から透明紙に交通反則の日付を記入することにより車検證に交通反則の日付のスジが残るところを特徴とする。【選択図】図１
0003109936.tif 000002
【実用新案登録請求の範囲】
【請求項１】
交通反則告知書に透明紙の部分を作り車検證の上から透明紙に交通反則の日付を記入することにより車検證に交通反則の日付のスジが残るところを特徴とする
車検證記入式交通反則告知書とする
【考案の詳細な説明】
【技術分野】
【０００１】本考案は車検證に交通反則の日付を記入することを目的とするものです
〔背景技術〕【０００２】反則した者が乗っていた車が車検日に反則金を納富したか未納であるかを容易に確認出来ることを目的とするものです
〔考案の開示〕
〔考案が解決しょうとする課題〕【０００３】交通反則金を期間内に納富することを目的とする
〔課題が解決するための手段〕【０００４】反則者が乗っていた車の車検日に確認出来る
〔考案の効果〕【０００５】反則者の滞納の減少
〔考案の実施するための最良の形能〕【０００６】交通反則告知書の一部に透明紙の部分を作る
〔実施例〕【０００７】車検證の上から容易に反則日を記入しそのスジが車検證に残り又納富した時は透明紙に領収印を押し車検證にはる
【図面の簡単な説明】
【０００８】〔図１〕交通反則告知書の一部に透明紙の部分作る
【付号の説明】
【０００９】１．交通反則告知書の台紙
２．透明紙の部分
３．接着剤の部分
４．カットした部分
【図１】
0003109936.tif 000003
(57)【要約】      （修正有）【課題】宣伝効果の高い、所謂、走る広告塔の役割を果たす自転車を提供する。【解決手段】自転車の車輪において、リム１０とハブ９との間の両側面に、白地に黒塗りの五角形１３を複数配して各五角形の頂点を黒線で結んだサッカーボールの模様を付すとともに、五角形と黒線とで囲まれた枠の中に宣伝等のアピール文を表示した表示板８を取り付けたことを特徴とする自転車の車輪。【選択図】図１
0003109975.tif 000002
【実用新案登録請求の範囲】
【請求項１】
自転車の車輪において、リムとハブとの間に、白地に黒塗りの五角形を複数配して各五角形の頂点を黒線で結んだサッカーボールの模様を付すとともに、五角形と黒線とで囲まれた枠の中に宣伝等のアピール文を付した表示板を取り付けたことを特徴とする自転車の車輪。
【請求項２】
表示板がスポークに取り付けられるか、又はスポークに代えて設けられるものである請求項１の自転車の車輪。
【請求項３】
表示板が前輪と後輪の一方に取り付けられるか、又は両方に取り付けられる請求項１又は２の自転車の車輪。
【考案の詳細な説明】
【技術分野】
【０００１】
本考案は、自転車の車輪に関するものである。
【背景技術】
【０００２】
装飾を目的として、自転車の車輪に何らかの細工を施すことがあり、下記特許文献１では、光学的な加工が施された半円形のホイルをスポークの中に挿入して一枚のホイルとするものが示されている。その目的は、装飾効果に伴う需要の喚起であるが、そうであるとするなら、装飾の内容は重要である。
【特許文献１】特開２００１−３４７９８４公報
【考案の開示】
【考案が解決しようとする課題】
【０００３】
本考案は、これをより進め、自転車の車輪に、今、人気のあるサッカーのボールを模した模様を付すとともに、併せて企業名等の宣伝に係るアピール文を付した表示板を取り付けることで、自転車の需要の喚起を期待したものである。
【課題を解決するための手段】
【０００４】
以上の課題の下、本考案は、請求項１に記載した、自転車の車輪において、リムとハブとの間に、白地に黒塗りの五角形を複数配して各五角形の頂点を黒線で結んだサッカーボールの模様を付すとともに、五角形と黒線とで囲まれた枠の中に宣伝等のアピール文を付した表示板を取り付けたことを特徴とする自転車の車輪を提供する。
【０００５】
これにおいて、表示板は、請求項２の、表示板がスポークに取り付けられるか、又はスポークに代えて設けられる構成及び請求項３の、表示板が前輪と後輪の一方に取り付けられるか、又は両方に取り付けられる構成を提供する。
【考案の効果】
【０００６】
請求項１の手段によると、企業等が自らの宣伝のために当該企業名等を付した表示板を取り付けた自転車を製作し、これを希望者に無償又は有償で提供又は貸与することが期待できる。また、請求項２及び３の手段によると、広告宣伝の態様を多様化でき、更なる需要の拡大を期待できる。
【考案を実施するための最良の形態】
【０００７】
以下、本考案の実施の形態を図面を参照して説明する。図１は本考案に係る自転車の車輪の側面図、図２はこの車輪を取り付けた自転車の側面図であるが、自転車は、フレーム１の前部にハンドル２を取り付けるとともに、後部にサドル３を取り付け、ハンドル２の下部に前部車輪４を、サドル３の後下方に後部車輪５を取り付けたものである。そして、フレーム１の下部と後部車輪５との間にペダルクランク６を有するスプロケットチェーン機構７を取り付け、搭乗者は、サドル３に座してハンドル２を握り、ペダルクランク６を漕ぐことで前進する通常構造のものである。
【０００８】
本考案は、この前部車輪４又は後部車輪５（以下、単に車輪という）に一定の表示を施した表示板８を取り付けたものである。一般に、自転車の車輪４、５というと、中心のハブ９と周囲のリム１０との間にスポーク（図示省略）を張り掛けたものであるが（１１はタイヤ）、この表示板８は、スポークの外周を覆ったものでもよいし、スポークに代えたものでもよい。
【０００９】
この表示板８の表示は、宣伝等のためのアピール文１２であり、具体的には、ある企業の企業名であったり、自治体や団体のスローガンであったりする。こうすることにより、自転車が、所謂、走る広告塔の役割を果たし、企業名を付した企業等は、この自転車を製作して希望者に無償又は有償で提供又は貸与することが期待できる。この表示板８は、前輪４、後輪５のいずれか又は両方に取り付けられるが、効果が高いのは両方であろう。また、表示板８の表示は、どちらからみてもわかるように、両側面にするのが適する。なお、走行中は、表示の内容は判別できないが（停止すると判別できる）、これがある種の光学的効果を奏し、却って興趣が増すことがある。
【００１０】
ところで、アピール文１２を表示する企業等のこの自転車に対する製作意欲を高めるには、単に表示板８に企業名等のアピール文１２を表示しただけでは不十分で、より興味を引く図柄を加える必要がある。そこで、本考案では、表示板８に、今、人気の高いサッカーボールの模様を模したものを付すのである。具体的には、白地の上に黒塗りの五角形１３を複数配して各五角形１３の頂点１４を黒線１５で結んだものにしておくのである。
【００１１】
なお、本例では、五角形１３の配置を、中心に１個、その周囲に５個配しているが、これは一例であってこれに限定されるものではない。この場合のアピール文１２は、五角形１３と黒線１５とで囲まれた白地の枠１６の中に入れることになる。なお、枠１６の数は多くあるが、中心の五角形１３と周囲の五角形１３とで囲まれる個所にアピール文１２を表示すると、サッカーボールであるとの認識を薄れさせるおそれがあるから、アピール文１２は、外周側の枠１６（本例では５個）の中が好ましい。加えて、本例では、このアピール文１２をより強調するために、各アピール文１３を矢印１７で結んでいる。
【図面の簡単な説明】
【００１２】
【図１】本考案の一例を示す自転車の車輪の側面図である。
【図２】本考案の一例を示す自転車の車輪を取り付けた自転車の側面図である。
【符号の説明】
【００１３】
１  フレーム
２  ハンドル
３  サドル
４  前部車輪
５  後部車輪
６  ペダルクランク
７  スプロケットチェン機構
８  表示板
９  ハブ
１０  リム
１１  タイヤ
１２  アピール文
１３  五角形
１４  五角形の頂点
１５  黒線
１６  枠
１７  矢印
【図１】
0003109975.tif 000003
【図２】
0003109975.tif 000004
(57)【要約】      （修正有）【課題】自動車のサイドミラー等の凍結や汚れを防止する。【解決手段】アルミコーティングを施したナイロンタフタシート３を、車のサイドミラー２のサイズに合わせた２枚一組のシートＡ４およびシートＢ５に裁断して設け、これに前記ナイロンタフタシートの共生地で作ったバイアステープ１でもって、このシートＡ４とシートＢ５の２枚をぴったり合わせた円周端面部分を、挟み込んで包み、ミシン糸７で縫製して一端を開口状に開放した、袋状に形成して設ける、そしてこの一端の開口部の円周縁部分の先端を丸めて巻いて、中空状にして、輪状ゴムヒモ６をその中空の中に包んで、ミシン糸７で縫製装着して設け、開口開放部分が伸縮する特徴を持たして袋状に形成する。【選択図】図１
0003109947.tif 000002
【実用新案登録請求の範囲】
【請求項１】
アルミコーティングを施したナイロンタフタシート（３）を、車のサイドミラー（２）のサイズに合わせた２枚一組の、シートＡ（４）、およびシートＢ（５）に裁断して設け、これに前記ナイロンタフタシートの共生地で作った、バイアステープ（１）でもって、このシートＡ（４）とシートＢ（５）の２枚をぴったり合わせた円周端面部分を、挟み込んで包み、ミシン糸（７）で縫製して一端を開口状に開放した、袋状に形成して設ける、そしてこの一端の開口部の円周縁部分の先端を丸めて巻いて、中空状にして、輪状ゴムヒモ（６）をその中空の中に包んで、ミシン糸（７）で縫製装着して設け、開口開放部分が伸縮する特徴を持たして袋状に形成してなる、ミラーキャップ。
【考案の詳細な説明】
【技術分野】
【０００１】  本考案は、自動車のサイドミラーの凍結を防止するものである。
【背景技術】
【０００２】  従来、冬場でもほとんどサイドミラーの凍結は、仕方ないものとされ放置されており、対策は取っていないのが現状である。
【考案の開示】
【考案が解決しようとする課題】
【０００３】  通常は、自分の自家用車なら愛車として愛着感があり、大事に取り扱っているのであるが、以外にサイドミラーの凍結等は気にとめていない人がほとんどである。しかし、朝出掛ける時など忙しく、また寒い中凍結したサイドミラーはそのままにして発進運転は危険で出来ない。極寒とくに寒冷地はとくにやっかいである。結局凍結を解除するために、お湯をかけたり、凍結霜などを削り落としたりするはめになり、面倒であるが誰しもこれを経験している。また油類や塗料、埃等、泥等の汚れる様々な要因も外環境にはあるので、これらからの清掃も要求される一つである。
本考案は、このような問題を改善する為になされたものである。
【課題を解決するための手段】
【０００４】  本考案は自動車のサイドミラー（２）の円周サイズに沿って、ミラー全体に被せるものであって、まずアルミコーティングをしたナイロンタフタシート（３）を、用意して、これをサイドミラー（２）にフリーサイズ（余裕をもたしたサイズ）であわせた、２枚１組のシートＡ（４）とシートＢ（５）の形に裁断して設ける。【０００５】  次に、シートＡ（４）とシートＢ（５）をぴったり合わせて、その円周端面部分を、ナイロンタフタシート（３）の共生地で作った、帯状のバイアステープ（１）の二つ折り部分に挟み込んで包み、ミシン等で縫製して一端を開口状に開放した、袋状に形成して設ける。【０００６】  そしてこの一端の開口部分の円周縁部分を、中空状に丸めて輪状ゴムヒモ（６）をその中空の中に包み込んで、ミシン糸（７）で縫製装着して設け、この開口開放部分が自在に伸縮する特徴を持たして、袋状に形成する。
【考案の効果】
【０００７】  サイドミラーに被せるだけで凍結を防ぐ。装脱着がワンタッチで簡単。防水加工で雨の日も安心。フリーサイズであるから、軽自動車から大型車まで対応できる。サイドミラーを完全にカバーしてるので、外部汚れから根本的にシャットアウト。金属製の部品は一切使用してないので、傷がつかない。非常にシンプル構造であるから大量に生産できる。
【考案を実施するための最良の形態】
【０００８】  本考案は自動車のサイドミラー（２）の円周サイズに沿って、ミラー全体に被せるものである。まずアルミコーティングを施したナイロンタフタシート（３）を、用意して、これをサイドミラー（２）のフリーサイズ（余裕をもたしたサイズ）で寸法を合わせた、２枚１組のシートＡ（４）とシートＢ（５）の形に裁断して設ける。【０００９】  そして、シートＡ（４）とシートＢ（５）をぴったり重ね合わせて、その円周の端面部分を、ナイロンタフタシート（３）そのままを材料として共生地に使用して、帯状のバイアステープ（１）の長手方向に、二つ折りにした部分に挟み込んで包み、ミシン等で縫製して一端を開口状に開放した、袋状に形成して設ける。【００１０】  そしてこの一端の開口部分の裁断したままの、シートＡおよびシートＢの円周縁部分を、中空状に丸め巻いて輪状ゴムヒモ（６）をその中空の中に包み込んで設け、ミシン糸（７）で縫製し装着固定して、この開口開放部分が自在に伸縮する特徴を持たして、袋状に形成する。
本考案は、以上のような構成よりなるミラーキャップである。【００１１】  本考案を使用するときには、ミラーキャップの輪状ゴムヒモ（６）の部分を両手で引伸ばして、サイドミラー全体に被せながらフィットさせるだけで良い。
【図面の簡単な説明】
【００１２】
【図１】  本考案の斜視図である。
【図２】  本考案の実施図である。
【符号の説明】
【００１３】  １  バイアステープ
２  サイドミラー
３  ナイロンタフタシート
４  シートＡ
５  シートＢ
６  輪状ゴムヒモ
７  ミシン糸
【図１】
0003109947.tif 000003
【図２】
0003109947.tif 000004
(57)【要約】【課題】  さねはぎ接合される羽目板に於いて、羽目板間の突き合わせ部に外観上目隙が見えにくく、しかも、化粧面に意匠的な立体感を強調する羽目板を提供する。【解決手段】  羽目板に於いて、平板の板本体１の左右側部の一側に水平溝状の凹部３を横設して、他側には該凹部３に嵌入する水平状の凸部２を横設して、化粧面４に前記凹部３・凸部２と平行に連続した波状の段差を形成して成すことを特徴とすることで、羽目板間の突き合わせ部に外観上目隙が見えにくく、しかも、化粧面に意匠的な立体感を強調する羽目板とした。【選択図】図１
0003109945.tif 000002
【実用新案登録請求の範囲】
【請求項１】
平板の板本体１の左右側部の一側に水平溝状の凹部３を横設して、他側には該凹部３に嵌入する水平状の凸部２を横設して、化粧面４に前記凹部３・凸部２と平行に連続した波状の段差を形成して成すことを特徴とする羽目板。
【考案の詳細な説明】
【技術分野】
【０００１】  本考案は建築物の仕上げの分野に属し、羽目板に関するものである。
【背景技術】
【０００２】  従来、さねはぎに接合される羽目板は、羽目板間の突き合わせ部に外観上目隙が見えやすく、化粧面にも意匠的な変化のないものであった。
【考案の開示】
【考案が解決しようとする課題】
【０００３】  さねはぎ接合される羽目板に於いて、羽目板間の突き合わせ部に外観上目隙が見えにくく、しかも、化粧面に意匠的な立体感を強調する羽目板を提供する。
【課題を解決するための手段】
【０００４】  本考案は、羽目板に於いて、平板の板本体１の左右側部の一側に水平溝状の凹部３を横設して、他側には該凹部３に嵌入する水平状の凸部２を横設して、化粧面４に前記凹部３・凸部２と平行に連続した波状の段差を形成して成すことを特徴とすることで、羽目板間の突き合わせ部に外観上目隙が見えにくく、しかも、化粧面に意匠的な立体感を強調する羽目板とした。
【考案の効果】
【０００５】  本考案によれば、さねはぎに接合される羽目板は、羽目板間の突き合わせ部に外観上目隙が見えにくくなり、化粧面に意匠的な立体感が強調され、接合時に於ける接合部分の外観上の違和感を少なくすることができる。
【考案を実施するための最良の形態】
【０００６】  以下、本考案の実施の形態について、図面を参照して説明する。
図１に示すように、羽目板に於いて、平板の板本体１の左右側部の一側に水平溝状の凹部３を横設して、他側には該凹部３に嵌入する水平状の凸部２を横設して、化粧面４に前記凹部３・凸部２と平行に連続した波状の段差を形成して成す。
【図面の簡単な説明】
【０００７】
【図１】  本考案にかかる羽目板の部分斜視図である。
【図２】  図１のａ−ｂ矢視断面図である。
【図３】  本考案にかかる羽目板のさねはぎ接合状態を表す部分斜視図である。
【符号の説明】
【０００８】  １  板本体
２  凸部
３  凹部
４  化粧面
【図１】
0003109945.tif 000003
【図２】
0003109945.tif 000004
【図３】
0003109945.tif 000005
(57)【要約】【課題】  生花に保存加工を施したプリザーブドフラワーの花びらの品質を損なわないように香料を配設した香料付装飾品を提供する。【解決手段】  生花に保存（プリザード）加工を施した花Ａの複数の花びら１の内底の間隙にエッセンシャルオイル等の香りの元となる液体を浸透させたコットン等の浸透材２を挿着したことを特徴とする。【選択図】        図２
0003109949.tif 000002
【実用新案登録請求の範囲】
【請求項１】
生花に保存加工を施したプリザ−ブドフラワ−の複数枚の花びらの底方の間隙にエッセンシャルオイル等の香料を浸透させたコットン等の浸透材を挿着したことを特徴とする香料付装飾品。
【考案の詳細な説明】
【技術分野】
【０００１】  本考案は、生花に保存加工を施した所謂プリザ−ブドフラワ−の複数枚の花びらの底方の間隙にエッセンシャルオイル等の香りの元を浸透させた浸透材（コットン等の）を挿着した花で、花床部に複数本の金属線を設けることによって即座に頭髪や衣服に取り付けたり、祭事場等の飾り付けに利用できるように構成した香料付装飾品に関するもである。
【背景技術】
【０００２】  従来、装飾品としての身辺に取り付ける花は、セレモニ−やパ−テ−等に限らず外出する際、香水を浸透させたものを衣服等に付けることは習慣として可なり以前から行なわれていた。
特開２００１−３４７７９５号に見られるように、保存加工を施すことによって生花のような状態を保ちながら花びらの落下を防止するように構成した装飾品が提供されている。
【特許文献】  特開２００１−３４７７９５号公報
【考案の開示】
【考案が解決しようとする課題】
【０００３】  しかし、これらの装飾品は何れも装飾品自体に香料を付着させたものであるため香りの有効時間が短く、又香料の種類のよっては花が変色する欠点があった。
従って花びらに付着させた香料は発散が早いので長時間に亘って着用することは出来なかった。
本考案は花（プリザ−ブドフラワー）の複数枚の花びらの底方の間隙に香りの元を浸み込ませたコットン等の浸透材を挿着した香料付装飾品を提供することを目的とする。
【課題を解決するための手段】
【０００４】  上記目的を達成するため本考案は、生花に保存加工を施した花（プリザードフラワー）の複数枚の花びらの底方の間隙にエッセンシャルオイル等の香料の元となる液体を浸透させたコットン等の浸透材を挿着したものである。
【考案の効果】
【０００５】  上記のように構成されている本考案には次のような効果がある。
ａ．香料は花に直接付着させたものではなく、コットン等の浸透材に浸透させたものを花びらの隙間の底部に挿着したことによって徐々に発散し、長時間にわたって香りの効果が持続する。
ｂ．香りの効果が薄れた場合は浸透材に香料を浸透させることによって長時間香りが持続する。
ｃ．花の花床部には複数本の細い金属線が設けられているので、この金属線を利用して髪や衣服に取り付けて飾ったり、室内装飾用として幅広く利用できる。
ｄ．各セレモニーに適応した香料を選択することによって、終了後も適度の香りが身辺周辺に漂うので、セレモニーの雰囲気を追憶することができる。
【考案を実施するための最良の形態】
【０００６】  以下本考案の実施の形態をを図面に基づいて説明する。
図１は本考案の側面図で、図２は図１におけるＩＩ−ＩＩ断面図、図３は本考案の斜視図、図４は本考案の取り付け状態の一例を示した図で、図中の符号Ａは花（プリザードフラワー）を示す。【０００７】  １は生の花に保存加工を施した、いわゆるプリザードフラワーの花びらで、特種の花ではなく、バラ、八重桜、八重椿等を指すが、図面においてはバラの花を選択している。【０００８】  ２はコットン等の浸透材で、この浸透材２に香料を浸透させたものを、花Ａ（プリザードフラワー）の花びら１の内底部の間隙に挿着するか、又は浸透材２を挿着してから香料を浸透させる。
浸透材２は複数の花びら１の内底部に散在させてあるので花Ａ（プリザードフラワー）の美観を損ねるようなことはない。【０００９】  ３は金属線取付部で、この金属線取付部３は花Ａの花床ａに当たる部分で、この花床部に図１乃至３に示したように複数本の金属線４を取り付け、接着剤、固定材等で固定する。【００１０】  金属線４はある程度弾力性をもった折曲自在の細い金属線で、花Ａを取り付ける際、どのような取り付け場所にも対応出来るようになっている。
例えば頭髪に挿着する場合は金属線をそのまま差し込むと複数本の金属線の間に髪は挟み込まれ、容易に脱落しないように挟持される。【００１１】  ５は花Ａの花床部ａに金属線４を取り付ける場合に使用する接着剤で、金属線４を接着固定するばかりでなく、花床部ａそのものの形状が崩れないようにする効果もある。【００１２】  上記のように構成された本考案を実際に使用する場合は次のようになる。
髪飾りとして頭髪に取り付ける場合は、金属線４をそのまま頭髪の所定位置に差し込むと、複数本の金属線の間に髪が挟持され、花は容易に脱落しないように取り付けられる。
又、服の胸ポケットに取り付ける場合は、金属線取付部３に近い部位から金属線４を略９０度に折り曲げてポケットに差し込むと花１は側方（正面）を向いた状態で取り付けられる。
【図面の簡単な説明】
【００１３】
【図１】  本考案の側面図
【図２】  止め具取付部付近の拡大縦断面図
【図３】  本考案の斜視図
【図４】  取付状態の一例を示した図
【符号の説明】
【００１６】  １  花びら
２  浸透材
３  金属線取付部
４  金属線
５  接着剤
Ａ  花
ａ  花床部
ｂ  ポケット
ｃ  上着
【図１】
0003109949.tif 000003
【図２】
0003109949.tif 000004
【図３】
0003109949.tif 000005
【図４】
0003109949.tif 000006
(57)【要約】      （修正有）【課題】荷物受けや更衣用ロッカーなどの収納ケースに対する保管物の出入れのさい、開放した前扉が邪魔にならないように、また狭い隣接間で支障を生じさせないようにして効率良く行える収納ケースを提供する。【解決手段】荷物受けや更衣用ロッカーなどの収納ケースの前扉の片側に対し、凡そ３ｃｍ〜１２ｃｍの片端板を蝶番を使用して９０°の折曲げ可能に取付け、前扉をロッカー外枠面に対し垂直となるよう拡開したのち、ロッカーの奥行き方向へ平行にスライドさせて収納可能とする。このさい、片端板にガイドローラを取付けると共に、ガイドレールを介してスライドさせるようにする。【選択図】図４
0003109745.tif 000002
【実用新案登録請求の範囲】
【請求項１】
荷物受け及び更衣用ロッカーなど収納ケースの前扉の片側に対し、凡そ３ｃｍ〜１２ｃｍの片端板を蝶番を使用して９０°の折曲げ可能に取付け、上記前扉をロッカー外枠面に対し垂直となるよう拡開したのち、ロッカーの奥行き方向へ平行にスライドさせて収納可能となしたことを特徴とする収納ケース。
【請求項２】
上記片端板にガイドローラを取付けると共に、ガイドレールを介してスライドさせるようになしたことを特徴とする請求項１記載の収納ケース。
【考案の詳細な説明】
【技術分野】
【０００１】
本考案は駅や会社、公共施設等で荷物や衣服等を一時的に保管するための荷物受け及び更衣用ロッカーなどの収納ケースに関する。
【背景技術】
【０００２】
従来、上記施設などで荷物や衣類等を一時的に保管するべく出し入れをするさい、その収納ケースとしては前扉を左右どちらかに一方に開放した状態で保管物を入れたのち、前扉を閉じて施錠するものが多用されている。
ところで、前扉は観音式扉にしたものの提案もある。
【特許文献１】特許第２８２７７４９号
【考案の開示】
【考案が解決しようとする課題】
【０００３】
上記に示すロッカーは、保管物の出入れのさい拡開した前扉に手や肩などが当たったり、また隣接したロッカーでは複数人が同時に保管物の出入れを行うさい、他者に対して前扉が邪魔になったり、過って負傷させたりしてトラブルの原因をなす場合もある。
本考案は上記問題点を解決せんとするもので、狭い場所で多数の設置を要求されるさいに、効率的な使用を可能にする収納ケースを市販に供せんとするものである。
【課題を解決するための手段】
【０００４】
本考案は、荷物受け及び更衣用ロッカーなどの収納ケースの前扉の片側に対し、凡そ３ｃｍ〜１２ｃｍの片端板を蝶番を使用して９０°の折曲げ可能に取付け、上記前扉をロッカー外枠面に対し垂直となるよう拡開したのち、ロッカーの奥行き方向へ平行にスライドさせて収納可能となしたことを特徴とする。このさい、片端板にガイドローラを取付けると共に、ガイドレールを介してスライドさせるようになすのである。
【考案の効果】
【０００５】
本考案に係る荷物受けやロッカーなどの収納ケースは、前扉の片側に対し、凡そ３ｃｍ〜１２ｃｍの片端板を蝶番を使用して９０°の折曲げ可能に取付け、上記前扉をロッカー外枠面に対し垂直となるよう拡開したのち、ロッカーの奥行き方向へ平行にスライドさせて出張らないように収納させる構成となしたことにより、従来のものに於ける如く開放した前扉がその前面で邪魔になったりすることなく、また隣接したロッカーで複数人が同時に出し入れ作業を行うようなことがあっても、何ら支障なくその収納や取出しが安全且つ迅速に行えるものとなるのである。
【考案を実施するための最良の形態】
【０００６】
本考案の実施の形態について、以下図面を参照して説明する。
図１は本考案に係る荷物受け及び更衣用ロッカーの斜視図であり、１はロッカに於ける箱体、２は該ロッカー１に於ける前扉、ｔは前扉２に設けられた取手部である。
箱体１及び前扉２は、夫々れ板材や板金或いは合成樹脂製などで構成される。
【０００７】
図２はロッカーの箱体１に於ける一部破断図であって、図２に示す如くｇ１，ｇ２は箱体１の片側上下（図２では右）内側隅部に設けたガイドレールである。
なお、ガイドレールｇ１，ｇ２は、その取付けに際し前扉２の横幅寸法よりやや長い寸法のものを使用し、箱体１の奥行き方向に対し並設される。
【０００８】
図３は本考案に係るロッカーの前扉２の裏面側に於ける構成詳細図である。前扉２は蝶番ｍ１，ｍ２を介し片端板２ａと接合される。また、ｋ１，ｋ２は前扉２を上記箱体１のガイドレールｇ１，ｇ２に取付けるためのガイドローラ金具であり、片端板２ａの上下端部に夫々れ設けられる。なお、ｔ’は取手部である。
【０００９】
図４は、本考案に係るロッカーの前扉２を箱体１へ取付けるさいの説明図であって、該図に示す如くガイドレールｇ１，ｇ２へ前扉２の片端板２ａに取付けたガイドローラｋ１，ｋ２を一点鎖線方向へ嵌入させる。このさい、ｕ１，ｕ２は係止体であって、上記はガイドローラｋ１，ｋ２がガイドレールｇ１，ｇ２に嵌入されたあと前面端口付近へ閉塞するように止着させるのであり、これにより前扉２が開閉動作のさいに誤ってガイドレールｇ１，ｇ２から外れてしまうことを防止するものとなる。
【００１０】
図５Ａ，Ｂは上記に係るロッカーの使用状態図である。即ち、開放にさしてはＡに示す如く前扉２の取手部ｔを手で持ち矢印方向（イ）へ９０°拡開させるのであり、次にＢに示す如く該前扉２を箱体１の奥側矢印（ロ）方向へ平行にスライドさせ、前扉全体が箱体内へ収納されるようになすのである。これに対し、前扉２の閉塞操作は、箱体１の片側で少し突出している取手部ｔを手で持って前扉２を上記とは逆の（ハ）方向に引き出し、次に矢印（ニ）方向へ回動させるのである。
【００１１】
上記例では前扉２の先端の取手部ｔを少し外方へ突出させたものを示しているが、図６は取手部ｔ’が箱体１内へ収納されるようにして前扉２の前端が突出されないようにした他の例を示すものである。なお、上記例の各図面は横置き式であってこれらの多数を棚段状に積み重ね可能となされるものの例であるが、本考案ではこれを凡そ身長と同等の高さ寸法で且つ縦方向へ多数並設させる構成のものとなしても良く、これらを含め本考案実施の範囲内とする。
【００１２】
また、上記例は前扉の開放を水平な左右方向の何れか片側へ開放させるようになしたものであるが（図示例では右方向）、垂直な上下方向の何れか片側へ開放し、箱体１内へ収容させるようになしても良い。
【図面の簡単な説明】
【００１３】
【図１】本考案係る荷物受け或いは更衣用ロッカー例の斜視図である。
【図２】上記の一部破断図である。
【図３】上記に於ける前扉の構成詳細図である。
【図４】上記の前扉を箱体へ取付けるさいの説明図である。
【図５】Ａ，Ｂは上記の使用説明図である。
【図６】前扉を箱体内へ完全に収納させた他の例の説明図である。
【符号の説明】
【００１４】
１      箱体
２      前扉
ｇ１，ｇ２    ガイドレール
ｋ１，ｋ２    ガイドローラ
ｔ，ｔ’      取手部
ｕ１，ｕ２    係止体
【図１】
0003109745.tif 000003
【図２】
0003109745.tif 000004
【図３】
0003109745.tif 000005
【図４】
0003109745.tif 000006
【図５】
0003109745.tif 000007
【図６】
0003109745.tif 000008
(57)【要約】      （修正有）【課題】近時流行している庇をへの字状に折り曲げた帽子の着用によって起きるメンタルな悪影響を解消する帽子を提供する。【解決手段】帽子本体１の前底部に庇２を設け、底部内周側面に補強縁を設けた帽子において、補強縁を前部補強縁３ａと後部補強縁３ｂに分けて設け、補強縁３ａを布製ゴム等の弾性帯材を利用し、この弾性帯材からなる前部補強縁３ａを引張した状態で下縁部のみを縫着又は接着手段で取り付けた。【選択図】図２
0003109749.tif 000002
【実用新案登録請求の範囲】
【請求項１】
ド−ム形状の帽子本体の前底部に庇を設け、底部内周側面に補強縁を設けた帽子において、前記補強縁を前部補強縁と後部補強縁に分けて設け、前部補強縁を布製ゴム等の弾性帯材を利用し、この弾性帯材からなる前部補強材を引張した状態で下縁部のみを縫着又は接着等の手段で取り付けたことを特徴とする帽子。
【考案の詳細な説明】
【技術分野】
【０００１】  本考案は従来広く使用されている野球用帽子やゴルフ用帽子の改良に関するもので、近年、庇付きの帽子であって特に庇を深く折り曲げた帽子の改良に関するものである。
【背景技術】
【０００２】  従来、庇付きの帽子は各種提供され、野球、ゴルフ、ハイキング、登山等の野外スポ−ツに多く愛用されている。
特に野球には欠くことの出来ないもので、老若男女を問わず世界中に普及し愛用されている現況にある。
【考案の開示】
【考案が解決しようとする課題】
【０００３】  しかし、このような庇付きの帽子も流行やニ−ズに従って年々工夫改良されているが、改良によって思わぬ支障が発生することもある。
近年、庇をへの字状に深く折り曲げた野球用帽子やゴルフ用帽子が流行するようになり、メディアを介して広まったことは周知の通りであるが、このように深く折り曲げることによって帽子を着用した際、庇の両先端がこめかみ部分を圧迫し、特にゴルファ−の場合はショットやパットに微妙な影響を与へ、思わぬスコアを乱すことがわかってきた。
本考案は帽子本体の内側底周辺に取り付けられた補強縁を工夫改良することによって前記の微妙な影響を解消した帽子を提供することを目的とする。
【課題を解決するための手段】
【０００４】  上記目的を達成するため本故案は、ド−ム形状の帽子本体１の前底部に庇２を設け、底部内周側面に補強縁３を設けた帽子Ａにおいて、前記補強縁３を前部補強縁３ａと後部補強縁３ｂに分けて設け、前部補強縁３ａを布製ゴム等の弾性帯材を利用し、この弾性帯材からなる前部補強縁３ａを引張した状態で下縁部のみを縫着又は接着手段で取り付けたものである。
【考案の効果】
【０００５】  上記のように構成された本発明には次のようの効果がある。
帽子本体の底部内周側面に設ける補強縁を前部と後部に分けて取り付けるが、前部補強縁のみ布製ゴム等の弾性帯材を利用し、この帯材を引張した状態で下縁部のみを取り付ける（縫製又は接着剤）ことによって上縁部が内側方向に張り出すようになり帽子本体との間に隙が出来、庇の両端部がこの隙間にあって張り出した上縁部によって帽子を着用した際、こめかみに押圧感を与えるこることがなくなるので特にゴルフのようなナ−バスなスポ−ツには有用である。
又、本考案のような帽子を着用することによって精神的な安定感が得られるので良いスコアを期待できる。
【考案を実施するための最良の形態】
【０００６】  以下、本考案の実施の形態を図面に基づいて説明する。
図１は本考案の正面図、図２は図１におけるＩＩ−ＩＩ断面図、図３は図１におけるＩＩＩ−ＩＩＩ断面図、図４は従来の帽子の正面図、図５は図４におけるＶ−Ｖ断面図を示す。【０００７】  １はド−ム状に形成された帽子本体で、下縁部の前部に沿って庇２が前方水平方向に設けられている。【０００８】  本考案の庇２は図１に示したようにへの字状に折り曲げられていて、庇２の両端部２ａ，２ｂの間隔は庇２をへの字状に折り曲げたことによって狭くなった分、頭の左右のこめかみ部分が押圧される。【０００９】  ３は帽子本体１の内側底部に取り付けられた補強縁で、この補強縁は前部補強縁３ａ後部補強縁ｂとに分けて取り付けられていて、前部補強縁３ａは帽子本体１の内則底部の前半部分に、後部補強縁３ｂは後半部分に取り付けられている。
後部補強縁３ｂは従来取り付けられている補強縁と変りはないが、前部補強縁３ａは帯状の布製ゴム材を利用しでいる。
布製ゴム材の前部補強縁３ａは引張した状態で下側のみを帽子本体１の内側底周部に縫製又は接着等の手段で取り付けられているので、図５に示したように帽子本体１との間に隙間４が出来る。
この隙間４が出来たことによって庇２の両端がこめかみ部分を押圧することが殆ど無くなり、メンタルなスポ−ツにも安心して使用できる。
【図面の簡単な説明】
【００１０】
【図１】本考案の正面図
【図２】図１におけるＩＩ−ＩＩ断面図
【図３】図１におけるＩＩＩ−ＩＩＩ断面図
【図４】従来の帽子の正面図
【図５】図４におけるＶ−Ｖ断面図
【符号の説明】
【００１１】  １  帽子本体
２  庇
２ａ  端部
２ｂ  端部
３  補強縁
３ａ  前部補強縁
３ｂ  後部補強縁
４  隙間
Ａ  帽子
ｃ  調節ベルト
【図１】
0003109749.tif 000003
【図２】
0003109749.tif 000004
【図３】
0003109749.tif 000005
【図４】
0003109749.tif 000006
【図５】
0003109749.tif 000007
(57)【要約】      （修正有）【課題】容器本体の左右両端折込部を綴着するためのホッチキス針が納豆に飛散、混入するのを解消した舟形納豆容器を提供する。【解決手段】容器の全体形状が舟形に形成される納豆容器において、舟形容器の左右両端折込部となる起立片と、この起立片の表側に折り重なる二辺の折込片との重なり部分を超音波ウェルダー等の熱熔着により固着して、舟形納豆容器の左右側部を構成する。また、舟形容器に折加工される矩形状ラミネート加工紙の外装面に、木目等の容器装飾模様がプリント等の手段により表現される。【選択図】図８
0003109742.tif 000002
【実用新案登録請求の範囲】
【請求項１】
容器の全体形状が舟形に形成される納豆容器において、舟形容器の左右両端折込部となる起立片と、この起立片の表側に折り重なる二辺の折込片との重なり部分を超音波ウェルダー等の熱熔着により固着して、舟形納豆容器の左右側部を構成する事を特徴とする納豆容器
【請求項２】
前記舟形容器に折加工される矩形状ラミネート加工紙の外装面に、木目等の容器装飾模様がプリント等の手段により表現されることを特徴とする納豆容器
【考案の詳細な説明】
【技術分野】
【０００１】  本考案は、納豆容器に関するものである。
【背景技術】
【０００２】  本出願人は、図１ないし図６に示す構造の納豆容器について実用新案権を取得した。【０００３】  上記の納豆容器は、一枚の矩形状ラミネート加工紙に一枚の矩形状経木を重ね合わせ、かつ、容器１の全体形状が舟形２となるように折加工されたものであり、この容器１の左右側部構造は、起立辺と、この起立片３の表側に折り重なる二辺の折込片４の重なり部分５をホッチキス針６によって綴着し、容器１を舟形形態になるように組立てられるものである。
そして、容器１内に収容された納豆を食する場合は、容器本体７に折り重なる蓋辺８を押し広げ、容器中身の納豆を取り出すようにしていた。
【考案の開示】
【考案が解決しようとする課題】
【０００４】  ところで、斯る従来の納豆容器にあっては、無理に蓋辺８を押し広げると、その力が容器１の起立片３と、この起立片３の表側に折り重なる二辺の折込片４に作用し、この二辺の折込片４を連結するためのホッチキス針６の綴着状態が緩慢となって離脱し、前記ホッチキス針６自体が容器１内の納豆方向に飛んで納豆に混入する。
従って、ホッチキス針６が混入した侭の納豆を食してしまうというような恐れがあった。
【考案が解決するための手段】
【０００５】  本考案は、斯る問題点に着目して創造された納豆容器であって、従来懸念されていた納豆へのホッチキス針の混入問題を一気に解消し、前記納豆容器内の納豆を安全に食する事ができる納豆容器を提供するものである。
【０００６】  詳しくは、本考案は、容器の全体形状が舟形に形成される納豆容器において、舟形容器の左右両端折込部となる起立片と、この起立片の表側に折り重なる二辺の折込片との重なり部分を超音波ウェルダー等の熱熔着により固着して、舟形納豆容器の左右側部を構成する事を特徴とする（請求項１）。
また、前記舟形容器に折加工される矩形状ラミネート加工紙の外装面に、木目等の容器装飾模様（図示しない。）がプリント等の手段により表現されることを特徴とする（請求項２）。
【考案の効果】
【０００７】  本考案は、請求項１、２記載の解決手段で実施され、以下に記載されるような効果を奏する。
【０００８】  容器の左右両端折込部となる起立片と、この起立片の外側に折り重なる二辺の折込片との重なり部分を超音波ウェルダー等の熱熔着により固着したから従来、ホッチキス針の飛散によって、納豆にホッチキス針が混入するといった危険性を皆無にすることができる。
また、容器内に収容される納豆を食する場合の安全性を確保することができる。
しかも、容器の外装面に木目等の装飾模様が顕現するため、舟形納豆容器に木目調の色彩、模様による加飾効果を齎すことができる。
【考案を実施するための最良の形態】
【０００９】  本考案の実施形態を図７ないし図９に基づき説明すると、図７は納豆容器の正面図、図８は納豆容器の左側面図、図９は納豆容器の右側面図である。【００１０】  本考案の納豆容器１１は容器全体１２を舟形形体１３で形成し、容器１１の左右折込部１４（容器側面）を構成する起立片１５と、この起立片１５の表側に折り重なる二辺の折込片１６との重なり部分１７を超音波ウェルダー等の熱熔着により固着する。【００１１】  本考案の納豆容器１１は、超音波ウェルダーによる熱熔着を可能にする矩形状加工シートと、一枚の矩形状経木シート（図示しない）との二層構造によって舟形形体１３に折加工され、納豆容器１１の舟形を形成するには、機械的手段を採用するのが量産的である。【００１２】  すなわち本考案は、容器１１の左右折込部１４（容器側面）を構成する起立片１５と、この起立片１６の表側に折り重なる二辺の折込片１６との重なり部分１７を超音波ウェルダーの熱熔着手段により固着するために、ホッチキス針が容器内の納豆中に混入してしまうといった懸念を解消する事ができると共に、容器１１内の納豆を安全に食する事ができる。
しかも、容器の折加工材料となる矩形状ラミネート加工紙の外装面には、プリント等の木目模様が表現するので、木目調にして、舟形を保持する納豆容器を得る事ができる。
【図面の簡単な説明】
【００１３】
【図１】図１は従来、納豆容器の正面図である。
【図２】図２は従来、納豆容器の背面図である。
【図３】図３は従来、納豆容器の平面図である。
【図４】図４は従来、納豆容器の底面図である。
【図５】図５は従来、納豆容器の左側面図である。
【図６】図６は従来、納豆容器の布側面図である。
【図７】図７は本考案、納豆容器の正面図である。
【図８】図８は本考案、納豆容器の左側面図である。
【図９】図９は本考案、納豆容器の右側面図である。
【符号の説明】
１１    納豆容器
１２    容器本体
１３    舟形形体
１４    左右折込部（容器側面）
１５    起立片
１６    折込片
１７    折込片の重なり部分
【図１】
0003109742.tif 000003
【図２】
0003109742.tif 000004
【図３】
0003109742.tif 000005
【図４】
0003109742.tif 000006
【図５】
0003109742.tif 000007
【図６】
0003109742.tif 000008
【図７】
0003109742.tif 000009
【図８】
0003109742.tif 000010
【図９】
0003109742.tif 000011